(57)【特許請求の範囲】
【請求項１】
時刻情報を含む電波を受けるアンテナと、該アンテナからの信号を入力する受信回路と、該受信回路から得られる時刻情報を検出し該時刻情報をデコードするデコード回路と、前記時刻情報に基づき計時を行う計時回路と、計時回路の出力により時刻を表示する表示手段とを有する電波修正時計において、
３つの状態をとる外部操作部材と、前記時刻情報がサマータイムであるかウインタータイムであるかを判断するととともに、前記外部操作部材の出力に基づき前記時刻情報をそのままあるいは変換して前記計時回路に出力する制御手段とをさらに備えており、
前記制御手段は、前記外部操作部材が第１の状態のときに、前記サマータイム又は前記ウインタータイムをそのまま出力し、前記外部操作部材が第２の状態のときで、且つ前記時刻情報がサマータイムである時に、該サマータイムをウインタータイムに変換して出力し、前記外部操作部材が第３の状態のときで、且つ前記時刻情報がウインタータイムである時に、該ウインタータイムをサマータイムに変換して出力することを特徴とする電波修正時計。
【発明の詳細な説明】
【０００１】
【発明の属する技術分野】
本発明は標準電波を受信する電波修正時計に関するものである。
【０００２】
【従来の技術】
ドイツ、イギリス、アメリカ、日本などの国では、数１０ｋＨｚ程度の周波数を搬送波として時刻情報を送信するいわゆる長波標準電波を送信しており、近年この標準電波を用いた電波修正時計が世に広まってきている。長波標準電波は、データが２進法で送信されている点以外、搬送波の周波数や、データの０、１等を表すパルス波形等が国毎で異なっている。
【０００３】
従来の電波修正時計として長波標準電波を受信して時刻修正を行う電波修正機能付き時計が特開平８−２０１５４６号公報に開示されている。特開平８−２０１５４６号公報の図１に示されるように、タイムコード受信手段９は計時手段３から出力される受信動作信号Ｓ２６に基づく受信許可信号Ｓ４２のタイミング制御を受けて一定時間毎に動作し、定期的に標準電波を受信して時刻修正を行うものである。
【０００４】
図２は、日本の標準電波の送信フォーマットを示したものである。時刻データの送信は、1ｂｉｔ／秒で１分間を１フレームとしており、このフレーム内に分・時・１月１日からの積算日、年下２桁、曜、予備ビット等の情報が含まれている。予備ビットは、ＳＵ１、ＳＵ２を使用する。これらは将来の情報拡張のために用意されたものであり、サマータイム情報でこのビットが活用されるときは、ＳＵ１＝ＳＵ２＝０では「６日以内に夏時間への変更無し」、ＳＵ１＝１・ＳＵ２＝０では「６日以内に夏時間への変更有り」、ＳＵ１＝０・ＳＵ２＝１では「夏時間実施中」、ＳＵ１＝ＳＵ２＝１では「６日以内に夏時間終了」となるような情報形態となっている。夏時間への切り替わりについては日本ではまだサマータイムが導入されておらず、未だ不明の状態であるが、欧州のサマータイムの切り替わりを見ると、夜中のうちに行っている。
【０００５】
また送信されるデータは０・１の他にＰコードというマーカーが含まれており、このＰコードは１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データなどの時刻データはこの正分位置を基準としてフレーム中の位置が決まっているためこの正分位置の検出を行わないと時刻データを取り出すことはできない。
【０００６】
日本の送信フォーマットは前述した内容であるが、各国の送信情報はおおよそ同じような内容（時、分、カレンダ情報、サマータイム情報）を送信している。また、欧州などではすでにサマータイム制度が導入されており、標準電波にもその情報が盛り込まれているため、電波修正時計はこの時発生する時間調整（サマータイムに変更するときは１時間早め、サマータイムから標準時（ウインタータイム）に戻すときは１時間遅くする）も自動で行うため利用者の手を煩わせることがないため、その価値が特に認識されている。
【０００７】
サマータイムは各国毎に施行時期が異なっている。欧州ではイギリスとフランス（またはドイツ）でも施行時期が異なり、また、アメリカにおいても欧州とはまた別の施行期間を設定しているのが現状である。
【０００８】
【発明が解決しようとする課題】
電波修正時計の受信性能がさらに向上すると日本の近隣各国例えば韓国（日本と時差がない）においても日本の標準電波を受信しいつでも正しい時刻を得ることが可能となる。しかし今後日本においてサマータイムが導入されるようなことになると標準電波の送信時刻はサマータイムを送信するため、この情報を例えば韓国で受信すると韓国では日本のサマータイム施行期間中、時間が狂ってしまう問題が生じてしまう。また逆に韓国でサマータイムが導入され、日本ではサマータイムが未実施の場合においても時間が狂ってしまう。このように狂ってしまった時刻を手動による修正を施しても次回の受信成功時にまた時刻が狂ってしまう。また、欧州においても前述したようにサマータイム施行時期が異なるため同様の問題が生じる。本願の目的は、利用者が受信結果の表示内容を変更できる電波修正時計を提供するものである。
【０００９】
【課題を解決するための手段】
時刻情報を含む電波を受けるアンテナと、該アンテナからの信号を入力する受信回路と、該受信回路から得られる時刻情報を検出し該時刻情報をデコードするデコード回路と、前記時刻情報に基づき計時を行う計時回路と、計時回路の出力により時刻を表示する表示手段とを有する電波修正時計において、
３つの状態をとる外部操作部材と、前記時刻情報がサマータイムであるかウインタータイムであるかを判断するととともに、前記外部操作部材の出力に基づき前記時刻情報をそのままあるいは変換して前記計時回路に出力する制御手段とをさらに備えており、
前記制御手段は、前記外部操作部材が第１の状態のときに、前記サマータイム又は前記ウインタータイムをそのまま出力し、前記外部操作部材が第２の状態のときで、且つ前記時
刻情報がサマータイムである時に、該サマータイムをウインタータイムに変換して出力し、前記外部操作部材が第３の状態のときで、且つ前記時刻情報がウインタータイムである時に、該ウインタータイムをサマータイムに変換して出力することを特徴とする。
【００１０】
【発明の実施の形態】
以下図面を用いて本発明の一実施形態を詳述する。図１は本発明の一実施形態を示すブロック図である。
【００１１】
それでは図１について説明する。１はアンテナ、２は受信開始手段４により受信開始の命令が出されたときにアンテナ１で受信した標準電波を増幅し、フィルタ回路、整流回路、検波回路等の処理により復調を行う受信回路、３は受信回路２から出力される受信データをデコードするデコード回路、４は計時回路８の内容により決められた時刻もしくはスイッチ手段（図示せず）により受信開始命令が出されたときに受信回路を受信状態にする受信開始手段、５はスイッチＳ１（強制的にウインタータイムを表示させる）、もしくはスイッチＳ２（強制的にサマータイムを表示させる）の状態によりデコード回路３の出力をそのままあるいは変更する制御手段、６は発振回路、７は分周回路、８は計時回路８は表示手段である。以上が本発明の一実施形態の構成である。
【００１２】
それでは図１を用いて動作の説明する。スイッチＳ１、スイッチＳ２は両方ともＯＦＦか、どちらかがＯＮかの３状態あるものとする。まずスイッチＳ１、スイッチＳ２ともにＯＦＦされている状態について説明する。
【００１３】
計時回路８がある時刻になるかスイッチ手段（図示せず）により受信開始手段４に受信開始命令がくると、受信開始手段４は受信回路２を受信状態にする。アンテナ１で受信した標準電波を受信回路２で検波・復調を行いデコード回路３にその結果を出力する。そしてデコード回路３はデータのデコードを行い、時、分、カレンダ、サマータイム情報の取得を行い、データが正確に取得されるとデコード回路３は受信開始手段４に受信終了の命令を出力する。同時に制御手段５による制御が行われるが以下にその詳細を述べる。まず受信したデータがサマータイムかどうかはＳＵ２ビットで判断し、もし受信したデータがサマータイムの場合（ＳＵ２＝１の場合）、スイッチＳ１及びスイッチＳ２はともにＯＦＦであるため、制御手段５は強制的にサマータイムもしくはウインタータイムにはしないため、受信したデータをそのまま計時回路８に代入する。この場合サマータイムを表示手段９で表示する。また、逆に受信したデータがウインタータイムである場合も受信したデータをそのまま計時回路８に代入して表示手段９でウインタータイムを表示する。このようにスイッチＳ１、スイッチＳ２がともにＯＦＦの状態では、受信したデータそのままを計時回路８に代入して表示手段９で表示を行う。
【００１４】
次に、スイッチＳ１がＯＮ、スイッチＳ２がＯＦＦの状態つまり「強制的にウインタータイムを表示する」場合について説明する。
【００１５】
計時回路８がある時刻になるかスイッチ手段（図示せず）により受信開始手段４に受信開始命令がくると、受信開始手段４は受信回路２を受信状態にする。アンテナ１で受信した標準電波を受信回路２で検波・復調を行いデコード回路３にその結果を出力する。そしてデコード回路３はデータのデコードを行い、時、分、カレンダ、サマータイム情報の取得を行い、データが正確に取得されるとデコード回路３は受信開始手段４に受信終了の命令を出力する。同時に制御手段５による制御が行われるが今回の場合（スイッチＳ１がＯＮ、スイッチＳ２がＯＦＦの状態）について以下にその詳細を述べる。まず受信したデータがサマータイムかどうかはＳＵ２ビットで判断し、もし受信したデータがサマータイムの場合（ＳＵ２＝１の場合）、スイッチＳ１がＯＮ及びスイッチＳ２はＯＦＦであるため、制御手段５は強制的にウインタータイムにするため、受信したデータ（この場合サマータイムを受信している）を−１時間して強制的にウインタータイムにし、その値を計時回路８に代入し、ウインタータイムを表示手段９で表示する。また、逆に受信したデータがウインタータイムである場合（ＳＵ２＝０の場合）、受信したデータをそのまま計時回路８に代入して表示手段９でウインタータイムを表示する。このようにスイッチＳ１がＯＮ、スイッチＳ２がＯＦＦの状態では、受信したデータがサマータイムの時には強制的にウインタータイムにし、ウインタータイムの時にはそのままの値を計時回路８に代入して表示手段９でウインタータイムの表示を行う。
【００１６】
次に、スイッチＳ１がＯＦＦ、スイッチＳ２がＯＮの状態つまり「強制的にサマータイムを表示する」場合について説明する。
【００１７】
計時回路８がある時刻になるかスイッチ手段（図示せず）により受信開始手段４に受信開始命令がくると、受信開始手段４は受信回路２を受信状態にする。アンテナ１で受信した標準電波を受信回路２で検波・復調を行いデコード回路３にその結果を出力する。そしてデコード回路３はデータのデコードを行い、時、分、カレンダ、サマータイム情報の取得を行い、データが正確に取得されるとデコード回路３は受信開始手段４に受信終了の命令を出力する。同時に制御手段５による制御が行われるが今回の場合（スイッチＳ１がＯＦＦ、スイッチＳ２がＯＮの状態）について以下にその詳細を述べる。まず受信したデータがサマータイムかどうかはＳＵ２ビットで判断し、もし受信したデータがウインタータイムの場合（ＳＵ２＝０の場合）、スイッチＳ１がＯＦＦ及びスイッチＳ２はＯＮであるため、制御手段５は強制的にサマータイムにするため、受信したデータ（この場合ウインタータイムを受信している）を＋１時間して強制的にサマータイムにし、その値を計時回路８に代入し、サマータイムを表示手段９で表示する。また、逆に受信したデータがサマータイムである場合（ＳＵ２＝１の場合）、受信したデータをそのまま計時回路８に代入して表示手段９でサマータイムを表示する。このようにスイッチＳ１がＯＦＦ、スイッチＳ２がＯＮの状態では、受信したデータがウインタータイムの時には強制的にサマータイムにし、サマータイムの時にはそのままの値を計時回路８に代入して表示手段９でウインタータイムの表示を行う。
【００１８】
時刻情報入りの長波標準電波を送信しているところでは、時刻情報、カレンダ情報の他にサマータイム情報が送信されている。本発明はサマータイム情報等を受信して強制的にウインタータイムもしくはサマータイムを表示させる手段を設けることで、送信国と、送信国の近隣国で送信国が発している時刻情報を受信するような場合、送信国と近隣国とでサマータイムの施行の有無もしくは施行時期が異なる場合でも、受信の度に時刻のずれを補正する必要がなく、近隣国で常に正確な時刻を表示できる効果が得られる。
【００１９】
【発明の効果】
上記のごとく本発明によれば、時刻情報、カレンダ情報、その他付加情報（サマータイム施行中かどうかの情報など）を受信し、強制的に表示を変更する制御手段を設けることで、送信国とその近隣国、もしくは送信国内において送信される時刻情報と所望とする時刻情報とが異なる場合でも、常に所望時刻を表示させることが出来る。
【図面の簡単な説明】
【図１】本発明の一実施形態を示すブロック図である。
【図２】日本の標準電波の送信データのフォーマットを示す図である。
【符号の説明】
１  アンテナ
２  受信回路
３  デコード回路
４  受信開始手段
５  制御手段
６  発振回路
９  表示手段
【図１】
0004522525.tif 000002
【図２】
0004522525.tif 000003